(57)【要約】【課題】携帯機が車外にあり、所定距離以上離れていることを確認した上で車両ドアを自動的に施錠することができる車載施錠装置及び施錠システムを提供する。【解決手段】車両Ｃに設けられた車両ドアＤが閉状態にある場合、携帯機３と無線通信を行い、無線通信の結果に応じて車両ドアＤを施錠する車載施錠装置１に、携帯機３との無線通信により、車両Ｃに対する携帯機３の距離を特定する距離特定部と、該距離特定部にて特定された距離が所定距離以上であるか否かを判定する判定部と、該判定部にて前記所定距離以上であると判定された場合、車両ドアＤを施錠する施錠部とを備える。【選択図】図１
2016053242.tif 000002
【特許請求の範囲】
【請求項１】
車両に設けられたドアが閉状態にある場合、携帯機と無線通信を行い、無線通信の結果に応じて前記ドアを施錠する車載施錠装置であって、
前記携帯機との無線通信により、前記車両に対する前記携帯機の距離を特定する距離特定部と、
該距離特定部にて特定された距離が所定距離以上であるか否かを判定する判定部と、
該判定部にて前記所定距離以上であると判定された場合、前記ドアを施錠する施錠部と
を備える車載施錠装置。
【請求項２】
前記携帯機との無線通信により、該携帯機が車内にあるか否かを判定する車内外判定部を備え、
前記施錠部は、
前記判定部にて前記車両に対する一の前記携帯機の距離が前記所定距離以上であると判定され、前記車内外判定部にて他の前記携帯機が車内に無いと判定された場合、前記ドアを施錠する
請求項１に記載の車載施錠装置。
【請求項３】
車両に設けられたドアが閉状態にある場合、携帯機と無線通信を行い、無線通信の結果に応じて前記ドアを施錠する車載施錠装置であって、
前記携帯機との無線通信により、前記車両に対する前記携帯機の距離を特定する距離特定部と、
該距離特定部にて特定された距離が所定距離以上であるか否かを判定する判定部と、
該判定部にて前記所定距離未満であると判定された場合、前記携帯機との無線通信により、該携帯機が車内にあるか否かを判定する車内外判定部と
を備え、
前記距離特定部は、前記車内外判定部にて前記携帯機が車内に無いと判定された場合、再度、前記車両に対する前記携帯機の距離を特定するようにしてあり、
更に、前記車内外判定部にて前記携帯機が車内に無いと判定された後に前記距離特定部にて特定された距離が前記所定距離以上である場合、又は前記距離特定部による距離の特定に失敗した場合、前記ドアを施錠する施錠部を備える車載施錠装置。
【請求項４】
前記車内外判定部にて前記携帯機が車内に無いと判定された後に前記距離特定部にて特定された距離が前記所定距離未満である場合、前記距離特定部は前記車両に対する前記携帯機の距離を反復的に特定するようにしてあり、
前記施錠部は、
前記所定距離未満の距離が反復的に特定された場合、前記ドアを施錠する
請求項３に記載の車載施錠装置。
【請求項５】
前記施錠部は、
前記車内外判定部にて前記携帯機が車内に無いと判定されたときから所定時間以上経過した後に前記距離特定部にて特定された前記携帯機の距離が前記所定距離未満であると判定された場合、前記ドアを施錠する
請求項３に記載の車載施錠装置。
【請求項６】
前記距離特定部による距離の特定に失敗した場合、前記車内外判定部にて前記携帯機が車内に無いと判定されたとき、警告を行う警告部を備える
請求項２〜請求項５のいずれか一つに記載の車載施錠装置。
【請求項７】
前記車両に搭載された原動機の動作状態を検出する原動機動作検出部と、
前記ドアの開閉状態を検出する開閉検出部と
を備え、
前記距離特定部は、
前記原動機が停止しており、前記ドアが開状態から閉状態になった場合、前記携帯機の距離の特定を開始する
請求項１〜６のいずれか一つに記載の車載施錠装置。
【請求項８】
請求項１〜請求項７のいずれか一つに記載の車載施錠装置と、
該車載施錠装置と無線通信を行う携帯機と
を備える施錠システム。
【発明の詳細な説明】
【技術分野】
【０００１】
本発明は車両に対する携帯機の距離に応じて車両のドアを施錠する車載施錠装置及び施錠システムに関する。
【背景技術】
【０００２】
ウォークアウェイロック機能を有するドアロック制御装置がある（例えば、特許文献１）。ドアロック制御装置は、エンジン停止後に車両ドアの開閉を検出すると、使用者が所有する携帯機のＩＤを要求するためのＩＤ要求信号を電波にて無線送信する。携帯機はドアロック制御装置から送信されたＩＤ要求信号を受信し、応答信号をドアロック制御装置へ送信する。ドアロック制御装置は、携帯機から送信された応答信号を受信することによって、携帯機の存在を認識する。ドアロック制御装置は、周期的にＩＤ要求信号を送信したにも拘わらず、一定時間以上、携帯機から応答信号が返信されなかった場合、施錠指示信号を電動ドアロック装置に与え、車両ドアを自動的に施錠する。
【先行技術文献】
【特許文献】
【０００３】
【特許文献１】特開平１０−２９２７０２号公報
【発明の概要】
【発明が解決しようとする課題】
【０００４】
しかしながら、特許文献１に係るドアロック制御装置においては、無線通信環境が悪い状況にあった場合、携帯機を保持した使用者が車両の周辺に存在するにも拘わらず、応答信号の受信に失敗し、車両ドアが自動的に施錠されてしまうおそれがあった。場合によっては、車両内に携帯機がある場合にも車両ドアが施錠されてしまうおそれがあった。
【０００５】
本願の目的は、携帯機が車外にあり、所定距離以上離れていることを確認した上で車両ドアを自動的に施錠することができる車載施錠装置及び施錠システムを提供することを目的とする。
【課題を解決するための手段】
【０００６】
本発明の一態様に係る車載施錠装置は、車両に設けられたドアが閉状態にある場合、携帯機と無線通信を行い、無線通信の結果に応じて前記ドアを施錠する車載施錠装置であって、前記携帯機との無線通信により、前記車両に対する前記携帯機の距離を特定する距離特定部と、該距離特定部にて特定された距離が所定距離以上であるか否かを判定する判定部と、該判定部にて前記所定距離以上であると判定された場合、前記ドアを施錠する施錠部とを備える。
【０００７】
本発明の一態様に係る車載施錠装置は、車両に設けられたドアが閉状態にある場合、携帯機と無線通信を行い、無線通信の結果に応じて前記ドアを施錠する車載施錠装置であって、前記携帯機との無線通信により、前記車両に対する前記携帯機の距離を特定する距離特定部と、該距離特定部にて特定された距離が所定距離以上であるか否かを判定する判定部と、該判定部にて前記所定距離未満であると判定された場合、前記携帯機との無線通信により、該携帯機が車内にあるか否かを判定する車内外判定部とを備え、前記距離特定部は、前記車内外判定部にて前記携帯機が車内に無いと判定された場合、再度、前記車両に対する前記携帯機の距離を特定するようにしてあり、更に、前記車内外判定部にて前記携帯機が車内に無いと判定された後に前記距離特定部にて特定された距離が前記所定距離以上である場合、又は前記距離特定部による距離の特定に失敗した場合、前記ドアを施錠する施錠部を備える。
【０００８】
本発明の一態様に係る施錠システムは、上述のいずれか一つの車載施錠装置と、該車載施錠装置と無線通信を行う携帯機とを備える。
【０００９】
なお、本願は、このような特徴的な処理部を備える車載施錠装置として実現することができるだけでなく、かかる特徴的な処理をステップとする施錠制御方法として実現したり、かかるステップをコンピュータに実行させるためのプログラムとして実現したりすることができる。また、車載施錠装置の一部又は全部を実現する半導体集積回路として実現したり、車載施錠装置又は施錠システムを含むその他のシステムとして実現したりすることができる。
【発明の効果】
【００１０】
上記によれば、携帯機が車外にあり、所定距離以上離れていることを確認した上で車両ドアを自動的に施錠することができる車載施錠装置及び施錠システムを提供することが可能となる。
【図面の簡単な説明】
【００１１】
【図１】施錠システムの一構成例を示す模式図である。
【図２】車載機の一構成例を示すブロック図である。
【図３】携帯機の一構成例を示すブロック図である。
【図４】施錠処理に係る車載制御部の処理手順を示すフローチャートである。
【図５】所定距離範囲を概念的に示した説明図である。
【図６】距離特定に係るサブルーチンの処理手順を示すフローチャートである。
【図７】距離特定の処理で送受信される信号を示したタイミングチャートである。
【図８】警告処理に係るサブルーチンの処理手順を示すフローチャートである。
【図９】第１の施錠処理に係るサブルーチンの処理手順を示すフローチャートである。
【図１０】第２の施錠処理に係るサブルーチンの処理手順を示すフローチャートである。
【図１１】変形例における距離特定に係るサブルーチンの処理手順を示すフローチャートである。
【発明を実施するための形態】
【００１２】
［本発明の実施形態の説明］
最初に本発明の実施態様を列記して説明する。また、以下に記載する実施形態の少なくとも一部を任意に組み合わせてもよい。
【００１３】
（１）本発明の一態様に係る車載施錠装置は、車両に設けられたドアが閉状態にある場合、携帯機と無線通信を行い、無線通信の結果に応じて前記ドアを施錠する車載施錠装置であって、前記携帯機との無線通信により、前記車両に対する前記携帯機の距離を特定する距離特定部と、該距離特定部にて特定された距離が所定距離以上であるか否かを判定する判定部と、該判定部にて前記所定距離以上であると判定された場合、前記ドアを施錠する施錠部とを備える。
【００１４】
本願にあっては、車載施錠装置は、携帯機との無線通信により、車両に対する携帯機の距離を特定する。そして、車載施錠装置は、車両に対する携帯機の距離が所定距離以上であると判定した場合、車両のドアを施錠する。車両に対する携帯機の距離を確認した上で、車両のドアを施錠する構成であるため、携帯機を保持した使用者が車両から離れた場合にドアが施錠される。
つまり、車両に対する携帯機の位置が不確定な状態で、車両のドアが施錠されることは無い。車載施錠装置は、車両に対する携帯機の距離の特定に失敗した場合、基本的に車両のドアを施錠しない。前記距離の特定に失敗しても、車両周辺に携帯機が存在している可能性もあり、携帯機の位置が不確定な状態で車両のドアが自動的に施錠されてしまうと、問題が発生するおそれがあるためである。
【００１５】
（２）前記携帯機との無線通信により、該携帯機が車内にあるか否かを判定する車内外判定部を備え、前記施錠部は、前記判定部にて前記車両に対する一の前記携帯機の距離が前記所定距離以上であると判定され、前記車内外判定部にて他の前記携帯機が車内に無いと判定された場合、前記ドアを施錠する構成が好ましい。
【００１６】
本願にあっては、車載施錠装置は、無線通信により携帯機が車内にあるか否かを判定する。車載施錠装置は、車両に対する携帯機の距離が所定距離以上であり、かつ携帯機が車内にない場合、ドアを施錠する。従って、車両のドアが自動的に施錠され、携帯機が車内に閉じ込められる事態を確実に防止することができる。
【００１７】
（３）本発明の一態様に係る車載施錠装置は、車両に設けられたドアが閉状態にある場合、携帯機と無線通信を行い、無線通信の結果に応じて前記ドアを施錠する車載施錠装置であって、前記携帯機との無線通信により、前記車両に対する前記携帯機の距離を特定する距離特定部と、該距離特定部にて特定された距離が所定距離以上であるか否かを判定する判定部と、該判定部にて前記所定距離未満であると判定された場合、前記携帯機との無線通信により、該携帯機が車内にあるか否かを判定する車内外判定部とを備え、前記距離特定部は、前記車内外判定部にて前記携帯機が車内に無いと判定された場合、再度、前記車両に対する前記携帯機の距離を特定するようにしてあり、更に、前記車内外判定部にて前記携帯機が車内に無いと判定された後に前記距離特定部にて特定された距離が前記所定距離以上である場合、又は前記距離特定部による距離の特定に失敗した場合、前記ドアを施錠する施錠部を備える。
【００１８】
本願にあっては、車載施錠装置は、携帯機との無線通信により、車両に対する携帯機の距離を特定する。そして、車載施錠装置は、車両に対する携帯機の距離が所定距離未満であると判定した場合、無線通信により携帯機が車内にあるか否かを判定する。車両に対する携帯機の距離が所定距離未満である場合、直ちに車両のドアを施錠する状況に無く、携帯機が車両から所定距離以上離れるまでに一定の時間を要すると予想される。このため、車載施錠装置は、携帯機の距離を再確認するよりも先に、携帯機が車内にあるかどうかを確認する処理を実行する。
車内に携帯機が無いと判定された場合、車載施錠装置は、再度、車両に対する携帯機の距離を特定する。携帯機が車内にないことが確認された後、車両に対する携帯機の距離が所定距離以上であると判定された場合、車載施錠装置は、車両のドアを施錠する。また、携帯機が車内にないことが確認された後、車両に対する携帯機の距離の特定に失敗した場合、携帯機が車載施錠装置の無線通信域外まで移動したと予想されるため、車載施錠装置は、車両のドアを施錠する。
このように、本態様（３）は携帯機が車両から所定距離以上離れていない段階で、車内に携帯機がないことを先に確認する構成であるため、携帯機が車両から所定距離以上離れたことが特定された場合に速やかにドアを施錠することができる。
また、態様（３）に係る車載施錠装置は、態様（１）と同様の作用効果を奏する。
【００１９】
（４）前記車内外判定部にて前記携帯機が車内に無いと判定された後に前記距離特定部にて特定された距離が前記所定距離未満である場合、前記距離特定部は前記車両に対する前記携帯機の距離を反復的に特定するようにしてあり、前記施錠部は、前記所定距離未満の距離が反復的に特定された場合、前記ドアを施錠する構成が好ましい。
【００２０】
本願にあっては、車載施錠装置は、車両に対する携帯機の距離が所定距離未満である場合、反復的に車両に対する携帯機の距離を特定する。そして、車載施錠装置は、携帯機が車両から所定距離未満の領域に存在する状態が一定期間継続した場合、車両のドアを施錠する。
使用者が再び車内に戻る可能性が低い場合、安全のため車両のドアを自動的に施錠することができる。
【００２１】
（５）前記施錠部は、前記車内外判定部にて前記携帯機が車内に無いと判定されたときから所定時間以上経過した後に前記距離特定部にて特定された前記携帯機の距離が前記所定距離未満であると判定された場合、前記ドアを施錠する構成が好ましい。
【００２２】
本願にあっては、車載施錠装置は、車両に対する携帯機の距離が所定距離未満である場合、経過時間の計時を開始する。そして、車載施錠装置は、携帯機が車両から所定距離未満の領域に存在する状態が所定時間以上継続した場合、車両のドアを施錠する。
使用者が再び車内に戻る可能性が低い場合、安全のため車両のドアを自動的に施錠することができる。
【００２３】
（６）前記距離特定部による距離の特定に失敗した場合、前記車内外判定部にて前記携帯機が車内に無いと判定されたとき、警告を行う警告部を備える構成が好ましい。
【００２４】
本願にあっては、車載施錠装置は、車両に対する携帯機の距離の特定に失敗した場合、警告を発する。
車載施錠装置は、車両に対する携帯機の距離の特定に失敗した場合、基本的に車両のドアを施錠しない。前記距離の特定に失敗しても、車両周辺に携帯機が存在している可能性もあり、携帯機の位置が不確定な状態で車両のドアが自動的に施錠されてしまうと、問題が発生するおそれがあるためである。このため、車載施錠装置は、警告を発して、ドアの施錠を使用者に委ねることができる。
【００２５】
（７）前記車両に搭載された原動機の動作状態を検出する原動機動作検出部と、前記ドアの開閉状態を検出する開閉検出部とを備え、前記距離特定部は、前記原動機が停止しており、前記ドアが開状態から閉状態になった場合、前記携帯機の距離の特定を開始する構成が好ましい。
【００２６】
本願にあっては、原動機が停止しており、車両のドアが開状態から閉状態になった場合、使用者が車両から降りて立ち去る状況にある可能性が高いため、上述の態様（１）〜態様（６）の処理を実行する。
【００２７】
（８）本発明の一態様に係る施錠システムは、上述のいずれか一つの車載施錠装置と、該車載施錠装置と無線通信を行う携帯機とを備える。
【００２８】
本願にあっては、態様（１）〜態様（７）と同様の効果を奏する。
【００２９】
（９）前記車載施錠装置は、前記車両に設けられたアンテナから前記携帯機の検出用信号を送信する車載送信部を備え、前記携帯機は、前記車載送信部から送信される前記検出用信号を受信する携帯受信部と、該携帯受信部が受信する前記検出用信号の受信信号強度を検出する検出部と、該検出部にて検出した前記受信信号強度の情報を含む応答信号を送信する携帯送信部とを備え、前記車載施錠装置は、前記携帯機から送信された前記応答信号を受信する車載受信部を備え、前記距離特定部は、前記車載受信部にて受信した前記応答信号に含まれる前記受信信号強度に基づいて、前記車両に対する前記携帯機の距離を算出する構成が好ましい。
【００３０】
本願にあっては、携帯機は、車両に設けられたアンテナから送信された検知用信号の受信信号強度を検出し、検出された受信信号強度を含む応答信号を車載施錠装置へ送信する。携帯機が検出する検知用信号の受信信号強度は、車両に対する携帯機の距離によって変化する。従って、検知用信号の受信信号強度によって、前記距離を特定することが可能である。車載施錠装置は携帯機から送信された応答信号を受信し、受信した応答信号に含まれる受信信号強度を用いて車両に対する携帯機の距離を特定する。
【００３１】
（１０）前記車載施錠装置は、前記車両に設けられたアンテナから前記携帯機の検出用信号を送信する車載送信部を備え、前記携帯機は、前記車載送信部から送信される前記検出用信号を受信する携帯受信部と、該携帯受信部が受信する前記検出用信号の受信信号強度を検出する検出部と、該検出部が検出した前記受信信号強度に基づいて、前記車両に対する前記携帯機の距離を算出する距離算出部と、該距離算出部にて算出された距離の情報を含む応答信号を送信する携帯送信部とを備え、前記車載施錠装置は、前記携帯機から送信された前記応答信号を受信する車載受信部を備え、前記距離特定部は、前記車載受信部にて受信した前記応答信号に含まれる情報に基づいて、前記車両に対する前記携帯機の距離を特定する構成が好ましい。
【００３２】
本願にあっては、携帯機は、車両に設けられたアンテナから送信された検知用信号の受信信号強度を検出する。携帯機が検出する検知用信号の受信信号強度は、車両に対する携帯機の距離によって変化する。従って、検知用信号の受信信号強度によって、車両に対する携帯機の距離を特定することが可能である。携帯機は、検出された受信信号強度に基づいて、車両に対する携帯機の距離を特定し、特定された距離の情報を含む応答信号を車載施錠装置へ送信する。車載施錠装置は応答信号を受信し、受信した応答信号に含まれる情報に基づいて、車両に対する携帯機の位置を特定する。
車載施錠装置が行う携帯機の距離の特定は、必ずしも受信信号強度に基づいて全処理を車載施錠装置が行う必要は無い。携帯機側で距離の特定処理の一部を実行しても良い。
【００３３】
［本発明の実施形態の詳細］
本発明の実施形態に係る車載施錠装置及び施錠システムの具体例を、以下に図面を参照しつつ説明する。なお、本発明はこれらの例示に限定されるものではなく、特許請求の範囲によって示され、特許請求の範囲と均等の意味および範囲内でのすべての変更が含まれることが意図される。
【００３４】
図１は施錠システムの一構成例を示す模式図である。本実施形態に係る施錠システムは、車両Ｃに設けられた複数のＬＦ送信アンテナ２２及びＲＦ受信アンテナ２１を用いて各種信号を送受信する車載施錠装置１と、該車載施錠装置１との間で該信号を送受信する一又は複数の携帯機３とを備える。車載施錠装置１は、車両Ｃに対する携帯機３の距離を特定し、車両ドアＤの施錠処理又は警告処理を実行する。
複数のＬＦ送信アンテナ２２は、例えば、運転席アンテナ２２ａ、助手席アンテナ２２ｂ、第１車内アンテナ２２ｃ、第２車内アンテナ２２ｄ、バックドアアンテナ２２ｅ等であり、各ＬＦ送信アンテナ２２はＬＦ帯の電波を用いて信号を送信する。なおＬＦ帯は信号を送信する電波帯域の一例であり、必ずしもこれに限定されない。運転席アンテナ２２ａ及び助手席アンテナ２２ｂは、それぞれ運転席側のピラー及び助手席側のピラーに配されている。第１車内アンテナ２２ｃは車両Ｃの前部に設けられ、第２車内アンテナ２２ｄは車両Ｃの中央部に配されている。バックドアアンテナ２２ｅは車両Ｃのバックドアに配されている。
【００３５】
図２は車載施錠装置１の一構成例を示すブロック図である。車載施錠装置１は、該車載施錠装置１の各構成部の動作を制御する車載制御部１０を備える。車載制御部１０は、例えば一又は複数のＣＰＵ（Central Processing Unit）、マルチコアＣＰＵ等を有するマイコンである。車載制御部１０には、車載受信部１１、車載送信部１２、車載機用記憶部１３及び車載機用計時部１４が設けられている。
【００３６】
車載制御部１０は、車載機用記憶部１３に記憶されている後述の制御プログラムを実行することにより、各構成部の動作を制御し、車両Ｃに対する携帯機３の距離の特定、及び距離の特定結果に応じた所定処理を実行する。
【００３７】
車載機用記憶部１３は、ＥＥＰＲＯＭ（Electrically Erasable Programmable ROM）、フラッシュメモリ等の不揮発性メモリである。車載機用記憶部１３は、車載制御部１０が車載施錠装置１の各構成部の動作を制御することにより、車両Ｃに対する携帯機３の距離を特定し、車両ドアＤの施錠処理又は警告処理を行うための制御プログラムを記憶している。
【００３８】
車載受信部１１はＲＦ受信アンテナ２１に接続されており、携帯機３からＵＨＦ帯の電波を用いて送信された応答信号等の各種信号を受信し、受信した信号を車載制御部１０へ出力する。ＵＨＦ帯の電波で通信可能な領域は広いため、車両ＣにおけるＲＦ受信アンテナ２１の配置は特に限定されない。
【００３９】
車載送信部１２は複数のＬＦ送信アンテナ２２に接続されており、車載制御部１０の制御に従って、携帯機３の車内外判定を行うための検出用信号を送信する。各ＬＦ送信アンテナ２２から送信される検出用信号の強度は、車内又は車外にある携帯機３が２つ以上のＬＦ送信アンテナ２２からの検出用信号を受信できるように設定されている。
【００４０】
車載機用計時部１４は車載制御部１０の制御に従って計時を開始し、計時結果を車載制御部１０に与える。車載機用計時部１４は、例えば、後述する所定距離範囲内に携帯機３が存在する時間を計時する処理に用いられる。
【００４１】
車載制御部１０には、運転席ドアスイッチ４１、助手席ドアスイッチ４２、バックドアスイッチ４３等が接続されており、各ドアスイッチの操作状態に対応したドア信号が車載制御部１０に入力する。以下、運転席ドアスイッチ４１、助手席ドアスイッチ４２、バックドアスイッチ４３のいずれかを適宜ドアスイッチと呼ぶ。車載制御部１０は各ドアスイッチからのドア信号に基づいて、運転席ドアスイッチ４１、助手席ドアスイッチ４２及びバックドアスイッチ４３の操作状態を認識することができる。運転席ドアスイッチ４１又は助手席ドアスイッチ４２は、それぞれ運転席側又は助手席側の車両ドアＤを施錠又は解錠するためのスイッチであり、運転席外側又は助手席外側のドアハンドルに設けられている。バックドアスイッチ４３は、車両ドアＤの一つであるバックドアを施錠又は解錠するためのスイッチであり、バックドアの外側に設けられている。各ドアスイッチは押しボタンである。なお、押しボタンに代えて、ドアハンドルに対する使用者の接触を検出する接触センサを設けても良い。また、車載制御部１０は、各ドアスイッチの操作に対応したドア信号を直接取得しても良いし、ドアＥＣＵ（Electronic Control Unit）、その他のＥＣＵ等を介してドア信号を取得しても良い。
【００４２】
また、車載制御部１０には各車両ドアＤの開閉を検出するドア開閉検出スイッチ４４が接続されている。ドア開閉検出スイッチ４４は、車両ドアＤの開閉に応じてオンオフするスイッチであり、オンオフ状態に対応した開閉信号が車載制御部１０に入力するように構成されている。
【００４３】
更に、車載制御部１０には電子ドアロック装置４５、原動機動作検出部４６及び警告部４７が接続されている。
電子ドアロック装置４５は、各車両ドアＤの施錠及び解錠を行う施錠機構と、該施錠機構を駆動するアクチュエータとを備える。電子ドアロック装置４５は、車載制御部１０による制御に従ってアクチュエータを駆動し、車両ドアＤの施錠及び解錠を行う。
原動機動作検出部４６は、例えばイグニッションスイッチであり、イグニッションスイッチの操作位置に応じた信号が車載制御部１０に入力するように構成されている。車載制御部１０は、イグニッションスイッチの操作位置に応じた信号により、原動機が動作中であるか否かを認識することができる。なお、本願における原動機の動作中には、アイドリングストップ機能により、一時停止している状態も含むものとする。また、スマートスタートシステムが搭載されている車両Ｃの場合、スマートスタートボタンの操作による原動機の動作状態に係る信号を、図示しないボディＥＣＵ等から受信し、原動機の動作状態を認識するように構成しても良い。
警告部４７は、使用者に対して警告を発することができる発光部又は音声を出力するスピーカ、警笛等を有する装置である。発光部は、車内灯、車外の補助灯、サイドミラーに設けられたランプ等である。車載制御部１０は警告部４７の動作を制御することにより、光又は音によって、車両ドアＤの施錠に関する警告を使用者に与えることができる。
【００４４】
なお、図２においては運転席ドアスイッチ４１、助手席ドアスイッチ４２、バックドアスイッチ４３、ドア開閉検出スイッチ４４、電子ドアロック装置４５、原動機動作検出部４６及び警告部４７が車載制御部１０に直接的に接続されている様に図示しているが、各種スイッチないし警告部４７は、信号線により直接接続されていても良いし、ＣＡＮ又はＬＩＮ等の車載通信網を介して接続されていても良いし、他のＥＣＵを介して接続されていても良い。
【００４５】
図３は携帯機３の一構成例を示すブロック図である。携帯機３は、該携帯機３の各構成部の動作を制御する携帯制御部３１を備える。携帯制御部３１は、例えば一又は複数のＣＰＵ、マルチコアＣＰＵ等を有するマイコンである。携帯制御部３１には、携帯受信部３２、携帯送信部３５、携帯機用記憶部３７及び携帯機用計時部３８が設けられている。
【００４６】
携帯制御部３１は、携帯機用記憶部３７に記憶されている後述の制御プログラムを読み出し、各構成部の動作を制御することにより、各構成部の動作を制御し、車両Ｃに対する携帯機３の距離を特定するために必要な情報を車載施錠装置１へ送信する送信する処理を実行する。
【００４７】
携帯機用記憶部３７は、車載機用記憶部１３と同様の不揮発性メモリである。携帯機用記憶部３７は、携帯制御部３１が携帯機３の各構成部の動作を制御することにより、車両Ｃに対する携帯機３の距離を特定するための情報を含む応答信号等を車載施錠装置１へ送信する処理を実行するための制御プログラムを記憶している。
【００４８】
携帯受信部３２は受信信号強度検出部３３を介して受信アンテナ３４に接続されており、車載施錠装置１からＬＦ帯の電波を用いて送信された各種信号を受信し、携帯制御部３１へ出力する。受信アンテナ３４は例えば３軸アンテナであり、車両Ｃに対する携帯機３の向き又は姿勢に拘わらず、一定の受信信号強度が得られる。
【００４９】
受信信号強度検出部３３は、受信アンテナ３４が受信した検出用信号の受信信号強度を検出し、検出した受信信号強度を携帯制御部３１へ出力する回路である。
【００５０】
携帯送信部３５はＲＦ送信アンテナ３６に接続されており、携帯制御部３１の制御に従って、車載施錠装置１から送信された検出用信号に応じた応答信号を送信する。携帯送信部３５はＵＨＦ帯の電波を用いて応答信号を送信する。なおＵＨＦ帯は信号を送信する電波帯域の一例であり、必ずしもこれに限定されない。
【００５１】
携帯機用計時部３８は携帯制御部３１の制御に従って計時を開始し、計時結果を携帯制御部３１に与える。計時部は、応答信号を送信するタイミングを計るためのものである。
【００５２】
図４は施錠処理に係る車載制御部１０の処理手順を示すフローチャート、図５は所定距離範囲を概念的に示した説明図である。図５中、二点鎖線Ａで示した半円は、車両Ｃの外側面、特に助手席アンテナ２２ｂ、運転席アンテナ２２ａ及びバックドアアンテナ２２ｅそれぞれを中心にして所定距離の位置を示している。所定距離は例えば２メートルである。以下、二点鎖線Ａで示した半円の内側の領域を所定距離範囲内、該半円の外側の領域を所定距離範囲外と呼ぶ。点線Ｂで示した半円の外側は、無線通信域外、つまり車載施錠装置１と、携帯機３との無線通信が不能になる領域を示している。車載施錠装置１と、携帯機３とが無線通信を行える範囲は特に限定されるものではないが、例えば、各アンテナを中心に２．５ｍの範囲で無線通信を行えるようにすると良い。理想的には車両Ｃを中心に１０メールの範囲で無線通信を行える状態が好ましい。車載制御部１０は、以下に説明するように、車両Ｃに対する携帯機３の位置が所定距離範囲内にあるか、所定距離範囲外にあるか、無線通信域外にあるかよって、車両ドアＤを自動的に施錠する処理又は各種警告処理を実行する。
【００５３】
車載制御部１０は、原動機動作検出部４６にて原動機の動作状態を検出し、原動機が停止しているか否かを判定する（ステップＳ１１）。アイドリングストップ機能を有する車両Ｃの場合、該アイドリングストップ機能によって一時的に原動機が停止しているときは、原動機は動作中であると判定する。原動機が停止していないと判定した場合（ステップＳ１１：ＮＯ）、車載制御部１０は処理を終える。
【００５４】
原動機が停止していると判定した場合（ステップＳ１１：ＹＥＳ）、車載制御部１０は、ドア開閉検出スイッチ４４にて、車両ドアＤの開閉状態を検出し、車両ドアＤが開状態から閉状態になり、全ての車両ドアＤが閉状態になったか否かを判定する（ステップＳ１２）。例えば、車両ドアＤが開状態である場合、開閉信号がハイレベル、車両ドアＤが閉状態である場合、開閉信号がローレベルであるような場合、車載制御部１０は、開閉信号がハイレベルからローレベルへ変化したとき、車両ドアＤが開状態から閉状態になったと判定すれば良い。また全ての車両ドアＤそれぞれに対応する開閉信号がローレベルである場合、全ての車両ドアＤが閉状態であると判定すれば良い。車両ドアＤが開状態から閉状態になり、全ての車両ドアＤが閉状態になるような変化が無いと判定した場合（ステップＳ１２：ＮＯ）、車載制御部１０は処理を終える。
【００５５】
車両ドアＤが開状態から閉状態になり、全ての車両ドアＤが閉状態になったと判定した場合（ステップＳ１２：ＹＥＳ）、車載制御部１０は、携帯機３との無線通信により、車両Ｃに対する携帯機３の距離を特定する（ステップＳ１３）。
なお、図４に示す処理の実行中、車載制御部１０は、車両ドアＤの開扉及び原動機の始動を監視している。車載制御部１０は、車両ドアＤの開扉を検出した場合、例えばハイレベルの開閉信号が割り込み信号として車載制御装部１０に入力した場合、実行中の処理を中止し、処理をステップＳ１２へ戻すように構成されている。車両ドアＤが開状態になった場合、自動の施錠処理及び警告処理は不要なためである。また、車載制御部１０は、原動機の始動を検知した場合、例えば、原動機を始動させるイグニッションスイッチの操作に対応する信号が車載制御部１０に入力した場合、実行中の処理を中止する。原動機が動作している場合、自動の施錠処理及び警告処理は不要なためである。
【００５６】
図６は距離特定に係るサブルーチンの処理手順を示すフローチャート、図７は距離特定の処理で送受信される信号を示したタイミングチャートである。
図７中、「車載機」は、車載施錠装置１が備える車載制御部１０の処理実行状態を示したタイミングチャートである。白抜きの矩形部分は車載制御部１０が何らかの処理を実行している時間帯を示している。
図７中、「運転席アンテナ２２ａ」、「助手席アンテナ２２ｂ」、「第１車内アンテナ２２ｃ」、「第２車内アンテナ２２ｄ」、「バックドアアンテナ２２ｅ」は、各ＬＦ送信アンテナ２２から信号を送信するタイミングを示したタイミングチャートである。左斜め下がりのハッチングが付された矩形部分は運転席アンテナ２２ａ、助手席アンテナ２２ｂ、第１車内アンテナ２２ｃ、第２車内アンテナ２２ｄ、又はバックドアアンテナ２２ｅから処理開始信号が送信されるタイミングを示している。処理開始信号は、車両Ｃに対する携帯機３の距離を検出するための処理を開始させるための信号である。
また、黒塗りの矩形部分は、携帯機３の距離を特定するための検出用信号が送信されるタイミングを示している。
【００５７】
図７中、「携帯機」は、携帯機３が応答信号を送信するタイミングを示したタイミングチャートである。右斜め下がりの矩形部分は携帯機３から送信される応答信号を示している。図７に示した例では、携帯機３が存在しており、携帯機３から応答信号が送信されている。応答信号は、携帯機３の位置を検出するための情報を含んだ信号である。
【００５８】
車載制御部１０は、車載送信部１２に制御信号を与えることにより、複数のＬＦ送信アンテナ２２から検出用信号を送信させる（ステップＳ３１）。より具体的には、車載制御部１０は、検出用信号の送信に先立って、携帯機３を起動させ、処理を開始させるための処理開始信号を、複数のＬＦ送信アンテナ２２から送信させる。例えば、図７に示すように運転席アンテナ２２ａ、助手席アンテナ２２ｂ及びバックドアアンテナ２２ｅから、ＬＦ送信アンテナ２２毎に異なるタイミングで連続的に処理開始信号（左斜め下がりのハッチングが付された矩形部分）を送信する。車両Ｃ内又は車両Ｃ周辺に携帯機３が複数存在することがあるが、該処理開始信号は複数の携帯機３が共通に受信することができる信号である。車載施錠装置１から送信された処理開始信号を受信した携帯機３は、スリープ状態から起動する。
処理開始信号を送信した車載制御部１０は、携帯機３からの応答を待つことなく、複数のＬＦ送信アンテナ２２から、ＬＦ送信アンテナ２２毎に異なるタイミングで検出用信号（黒塗りの矩形部分）を連続的に送信させる。
【００５９】
なお、本実施形態においては、処理開始信号を最後に送信したＬＦ送信アンテナ２２（ここではバックドアアンテナ２２ｅ）は最後に検出用信号を送信する点にも特徴がある。一のＬＦ送信アンテナ２２から処理開始信号を送信した直後に、同一の該ＬＦ送信アンテナ２２から検出用信号を送信すると、該ＬＦ送信アンテナ２２に負荷がかかる。しかし、一のＬＦ送信アンテナ２２から処理開始信号を送信した場合、他のＬＦ送信アンテナ２２から検出用信号を送信し、最後に該一のＬＦ送信アンテナ２２から検出用信号を送信するように構成することによって、該一のＬＦ送信アンテナ２２に信号送信による負荷が集中することを防ぐことができる。
ただし、本発明においては、検出用信号を送信する複数のＬＦ送信アンテナ２２の順序は上記のように特に限定されることは無く、任意の順序で設定することができる。
【００６０】
また、上述した距離の特定方法は一例であり、単純に一の送信アンテナからの検出用信号の受信信号強度に基づいて、車両Ｃに対する携帯機３の距離を特定するように構成しても良い。
【００６１】
携帯制御部３１は、ＬＦ送信アンテナ２２から送信された検出用信号を、受信アンテナ３４を介して携帯受信部３２にて受信する（ステップＳ３２）。そして、携帯制御部３１は、受信した検出用信号の受信信号強度を検出する（ステップＳ３３）。次いで、携帯制御部３１は、図７に示すように、各ＬＦ送信アンテナ２２から送信された検出用信号の受信信号強度を含む応答信号（右斜め下がりの矩形部分）を車載施錠装置１へ送信する（ステップＳ３４）。
【００６２】
車載制御部１０は、携帯機３から送信された応答信号を車載受信部１１にて受信する（ステップＳ３５）。そして、車載制御部１０は、受信した応答信号に含まれる受信信号強度に基づいて、車両Ｃに対する携帯機３の距離を算出し（ステップＳ３６）、処理を終える。ＬＦ送信アンテナ２２から送信される検出用信号の携帯機３における受信信号強度は、該ＬＦ送信アンテナ２２と、携帯機３との距離に対応している。従って、複数の各ＬＦ送信アンテナ２２から送信された各検出用信号の受信信号強度に基づいて、車両Ｃに対する携帯機３の位置、ないし車両Ｃに対する携帯機３の距離を算出することができる。
【００６３】
図４に戻り、ステップＳ１３の処理を終えた車載制御部１０は、車両Ｃに対する携帯機３の距離の特定に成功したか否かを判定する（ステップＳ１４）。距離の特定に失敗したと判定した場合（ステップＳ１４：ＮＯ）、車載制御部１０は、距離の特定に所定回数以上、失敗したか否かを判定する（ステップＳ１５）。所定回数は特に限定されるものでは無いが、２〜３回である。携帯機３が車両Ｃ周辺に存在するにもかかわらず、何らかの理由で距離の特定に失敗した可能性があるため、複数回、距離の特定を試み、所定回数以上、距離の特定に失敗した場合、携帯機３が車両Ｃ周辺に存在しないものとして処理するために、ステップＳ１５の処理が設けられている。
【００６４】
失敗回数が所定回数未満であると判定した場合（ステップＳ１５：ＮＯ）、車載制御部１０は処理をステップＳ１３へ戻し、車両Ｃに対する携帯機３の距離の特定を反復的に実行する。距離の特定に所定回数以上、失敗したと判定した場合（ステップＳ１５：ＹＥＳ）、車載制御部１０は、警告に係る処理を実行し（ステップＳ１６）、処理を終える。
【００６５】
図８は警告処理に係るサブルーチンの処理手順を示すフローチャートである。車載制御部１０は、車載送信部１２に制御信号を与えることにより、複数のＬＦ送信アンテナ２２から検出用信号を送信させ、携帯機３から送信される応答信号を車載受信部１１にて受信することによって、車内の携帯機３を探索する（ステップＳ５１）。例えば、車載制御部１０は、第１車内アンテナ２２ｃ及び第２車内アンテナ２２ｄから処理開始信号を送信し、検出用信号を各ＬＦ送信アンテナ２２から送信する。車載制御部１０は、検出用信号に応じて携帯機３から送信された応答信号を受信し、受信した応答信号に基づいて、携帯機３が車内にあるか車外にあるかを判定する。なお、単純に、第１車内アンテナ２２ｃ及び第２車内アンテナ２２ｄから送信された信号に対する応答の有無によって、携帯機３が車内にあるか否かを判定するように構成しても良い。
【００６６】
次いで、車載制御部１０は、携帯機３が車内にあるか否かを判定する（ステップＳ５２）。なお、何らかの原因によって車内の携帯機３の探索に失敗し、携帯機３が車内にないと誤判定される可能性があるため、所定回数以上、車内の携帯機３の探索に失敗した場合、携帯機３が車内にないと判定するように構成すると良い。所定回数は特に限定されるものでは無いが、２〜３回である。後述するステップＳ７２、ステップＳ９２の処理においても同様である。車内に携帯機３がないと判定した場合（ステップＳ５２：ＮＯ）、車載制御部１０は走り去りの警告処理を実行し（ステップＳ５３）、処理を終える。つまり、車載制御部１０は、車両ドアＤを施錠しないまま使用者が車両Ｃを離れている可能があるため、警告部４７の動作を制御し、使用者に未施錠である旨の警告を発する。警告部４７は、例えばランプの点灯、警笛により警告を発する。なお、ここでは車両ドアＤは施錠されない。
【００６７】
ステップＳ５２において、車内に携帯機３あると判定した場合（ステップＳ５２：ＹＥＳ）、車載制御部１０は閉じ込め防止の警告処理を実行し（ステップＳ５４）、処理を終える。つまり、車載制御部１０は、携帯機３が車内に置き去られる可能性があるため、警告部４７の動作を制御し、使用者に携帯機３閉じ込め防止の警告処理を発する。警告部４７は、例えばランプの点灯、警笛により警告を発する。なお、ここでは車両ドアＤは施錠されない。
【００６８】
図４に戻り、ステップＳ１４において距離の特定に成功したと判定した場合（ステップＳ１４：ＹＥＳ）、車載制御部１０は、携帯機３が図５に示す所定距離範囲内にあるか否かを判定する（ステップＳ１７）。例えば、車載制御部１０は、車両Ｃに対する携帯機３の距離が所定距離未満であるか否かを判定する。
【００６９】
携帯機３が所定距離範囲外にあると判定した場合（ステップＳ１７：ＮＯ）、車載制御部１０は、第１の施錠処理を実行し（ステップＳ１８）、処理を終える。携帯機３が所定距離範囲内にあると判定した場合（ステップＳ１７：ＹＥＳ）、車載制御部１０は、第２の施錠処理を実行し（ステップＳ１９）、処理を終える。
【００７０】
図９は第１の施錠処理に係るサブルーチンの処理手順を示すフローチャートである。車載制御部１０は、車載送信部１２に制御信号を与えることにより、複数のＬＦ送信アンテナ２２から検出用信号を送信させ、携帯機３から送信される応答信号を車載受信部１１にて受信することによって、車内の携帯機３を探索する（ステップＳ７１）。
【００７１】
次いで、車載制御部１０は、携帯機３が車内にあるか否かを判定する（ステップＳ７２）。車内に携帯機３がないと判定した場合（ステップＳ７２：ＮＯ）、車載制御部１０は、車両ドアＤの施錠を指示する施錠指示信号を電子ドアロック装置４５へ出力することにより、車両ドアＤを施錠し（ステップＳ７３）、処理を終える。
【００７２】
ステップＳ７２において、車内に携帯機３あると判定した場合（ステップＳ７２：ＹＥＳ）、車載制御部１０は、使用者によって設定された処理を実行し（ステップＳ７４）、処理を終える。使用者は、ステップＳ７４で実行される処理内容を予め設定することができる。
一の携帯機３が車外の所定距離範囲外にあり、他の携帯機３が車内にある場合、単に一の携帯機３を保持した使用者が車外に出て、他の携帯機３を保持する同乗者が車内にいるような状況が考えられるため、使用者は警告によって不快感を覚える可能性がある。このため、ステップＳ７４で特段の処理を実行せずに処理を終えるように設定しても良い。また、使用者の設定により、警告部４７による警告のみを実行するようにしても良いし、車両ドアＤの施錠を行うように構成しても良い。
【００７３】
図１０は第２の施錠処理に係るサブルーチンの処理手順を示すフローチャートである。
車載制御部１０は、車載送信部１２に制御信号を与えることにより、複数のＬＦ送信アンテナ２２から検出用信号を送信させ、携帯機３から送信される応答信号を車載受信部１１にて受信することによって、車内の携帯機３を探索する（ステップＳ９１）。
【００７４】
次いで、車載制御部１０は、携帯機３が車内にあるか否かを判定する（ステップＳ９２）。車内に携帯機３あると判定した場合（ステップＳ９２：ＹＥＳ）、車載制御部１０は、警告部４７にて所定の警告処理を実行し（ステップＳ９３）、処理を終える。
【００７５】
車内に携帯機３がないと判定した場合（ステップＳ９２：ＮＯ）、車載制御部１０は、車載機用計時部１４にて計時を開始させる（ステップＳ９４）。そして、車載制御部１０は、携帯機３との無線通信により、車両Ｃに対する携帯機３の距離を特定し（ステップＳ９５）、携帯機３の所定距離範囲内にあるか否かを判定する（ステップＳ９６）。携帯機３が所定距離範囲内にあると判定した場合（ステップＳ９６：ＹＥＳ）、車載制御部１０は、車載機用計時部１４が計時を開始してから所定時間が経過したか否かを判定する（ステップＳ９７）。所定時間は特に限定されるものでは無いが、例えば３０秒程度の時間である。所定時間が経過していないと判定した場合（ステップＳ９７：ＮＯ）、車載制御部１０は、処理をステップＳ９５へ戻し、車両Ｃに対する携帯機３の距離の特定を反復的に実行する。なお、ステップＳ９５〜ステップＳ９７における前記距離の特定周期は特に限定されるものでは無いが、例えば４００ミリ秒周期で実行すると良い。
【００７６】
ステップＳ９６において携帯機３が所定距離範囲外にあると判定した場合、又は車両Ｃに対する携帯機３の距離の特定に失敗した場合（ステップＳ９６：ＮＯ）、又はステップＳ９７において所定時間が経過していると判定した場合（ステップＳ９７：ＹＥＳ）、車載制御部１０は、車両ドアＤの施錠を指示する施錠指示信号を電子ドアロック装置４５へ出力することにより、車両ドアＤを施錠し（ステップＳ９８）、処理を終える。
【００７７】
このように構成された本実施形態に係る施錠システム及び車載施錠装置１にあっては、ステップＳ１３，ステップＳ１７、ステップＳ７３の処理により、車載施錠装置１は、携帯機３が車外にあり、所定距離範囲外にあることを確認した上で車両ドアＤを自動的に施錠することができる。つまり、携帯機３の位置が不確定な状態で車両ドアＤが施錠されることを確実に防止し、携帯機３を保持した使用者が所定範囲外まで移動した場合に、車両ドアＤを自動的に施錠することができる。
【００７８】
また、ステップＳ７２又はステップＳ９２の処理により、車載施錠装置１は、携帯機３が車内に無いことを確認した上で、車両ドアＤを施錠する構成であるため、車両ドアＤが自動的に施錠され、携帯機３が車内に閉じ込められる事態を確実に防止することができる。
【００７９】
更に、ステップＳ１３、ステップＳ１７、ステップＳ９４〜ステップＳ９８の処理により、車載施錠装置１は、携帯機３が所定距離範囲内から所定距離範囲外へ移動した場合に、車両ドアＤを自動的に施錠することができる。また、携帯機３が所定距離範囲内にある段階で、車内に携帯機３がないことを先に確認する構成であるため、携帯機３が車両Ｃから所定距離範囲外に出た場合に速やかに車両ドアＤを施錠することができる。
【００８０】
更に、ステップＳ９４〜ステップＳ９８の処理により、携帯機３が所定距離範囲内にある状態が所定時間以上継続した場合、使用者が再び車内に戻る可能性が低いため、車載施錠装置１は、安全のため車両Ｃの車両ドアＤを自動的に施錠することができる。
【００８１】
更にまた、ステップＳ１３〜ステップＳ１６の処理により、車載施錠装置１は、車両Ｃに対する携帯機３の距離の特定に失敗した場合、警告を発し、車両ドアＤの施錠を使用者に委ねることができる。車両Ｃに対する携帯機３の距離の特定に失敗しても、車両Ｃ周辺に携帯機３が存在している可能性もあり、携帯機３の位置が不確定な状態で車両Ｃの車両ドアＤが自動的に施錠されてしまうと、問題が発生するおそれがあるため、車載制御部１０は施錠処理を実行しない。
【００８２】
更にまた、車載施錠装置１は、原動機が停止しており、車両Ｃの車両ドアＤが開状態から閉状態になった場合、使用者が車両Ｃから降りて立ち去る状況にある可能性が高いため、車両ドアＤの施錠処理及び各種警告の処理を的確に実施することができる。
【００８３】
更にまた、車載施錠装置１は、車両Ｃに設けられた複数のＬＦ送信アンテナ２２からの検出用信号の携帯機３における受信信号強度に基づいて、車両Ｃに対する携帯機３の距離をより特定することができるため、単純に１本のＬＦ送信アンテナ２２からの検出用信号の受信信号強度を用いる場合に比べて、より正確に前記距離を特定することができる。
【００８４】
（変形例１）
上述の実施形態におけるステップＳ１８では、携帯機３が車内にないことを確認した上で車両ドアＤの施錠を行う例を説明したが、ステップＳ１７の処理において携帯機３が所定距離範囲外にあると判定した場合、携帯機３が車内にあるか否かの判定を行わずに、車両ドアＤを施錠するように構成しても良い。
【００８５】
（変形例２）
上述の実施形態におけるステップＳ９４〜ステップＳ９７の処理では、車両Ｃに対する携帯機３の距離が所定距離未満にある状態が所定時間以上継続した場合、車両ドアＤを施錠する構成を説明したが、経過時間の計時を行わず、所定距離範囲内にある携帯機３の距離を所定回数特定した場合、言い換えると携帯機３が所定距離範囲内にあると反復的に所定回数判定された場合、車両ドアＤを施錠するように構成しても良い。
この場合、車載機用計時部１４及び計時処理が不要になる。
【００８６】
（変形例３）
なお、上述の実施形態では、車両Ｃに対する携帯機３の距離を主に車載施錠装置１が特定する例を説明したが、携帯機３側で前記距離を算出するように構成しても良い。
図１１は変形例３における距離特定に係るサブルーチンの処理手順を示すフローチャートである。距離の特定に係る処理以外の構成、処理内容は上述の実施形態と同様であるため、詳細は省略する。車載制御部１０は、車載送信部１２に制御信号を与えることにより、複数のＬＦ送信アンテナ２２から検出用信号を送信させる（ステップＳ１３１）。
【００８７】
携帯制御部３１は、ＬＦ送信アンテナ２２から送信された検出用信号を、受信アンテナ３４を介して携帯受信部３２にて受信する（ステップＳ１３２）。そして、携帯制御部３１は、受信した検出用信号の受信信号強度を検出する（ステップＳ１３３）。次いで、携帯制御部３１は、受信信号強度に基づいて、車両Ｃに対する携帯機３の距離を算出する（ステップＳ１３４）。そして携帯制御部３１は、ステップＳ１３４で算出した距離の情報を含む応答信号を車載施錠装置１へ送信する（ステップＳ１３５）。
【００８８】
車載制御部１０は、携帯機３から送信された応答信号を車載受信部１１にて受信する（ステップＳ１３６）。そして、車載制御部１０は、受信した応答信号に含まれる情報に基づいて、車両Ｃに対する携帯機３の距離を特定し（ステップＳ１３７）、処理を終える。
【００８９】
変形例３に係る施錠システム及び車載施錠装置１は、実施形態１と同様の作用効果を奏する。
【符号の説明】
【００９０】
１  車載施錠装置
３  携帯機
１０  車載制御部
１１  車載受信部
１２  車載送信部
１３  車載機用記憶部
１４  車載機用計時部
２１  ＲＦ受信アンテナ
２２  ＬＦ送信アンテナ
２２ａ  運転席アンテナ
２２ｂ  助手席アンテナ
２２ｃ  第１車内アンテナ
２２ｄ  第２車内アンテナ
２２ｅ  バックドアアンテナ
３１  携帯制御部
３２  携帯受信部
３３  受信信号強度検出部
３４  受信アンテナ
３５  携帯送信部
３６  ＲＦ送信アンテナ
３７  携帯機用記憶部
３８  携帯機用計時部
４１  運転席ドアスイッチ
４２  助手席ドアスイッチ
４３  バックドアスイッチ
４４  ドア開閉検出スイッチ
４５  電子ドアロック装置
４６  原動機動作検出部
４７  警告部
Ｃ  車両
Ｄ  車両ドア
【図１】
2016053242.tif 000003
【図２】
2016053242.tif 000004
【図３】
2016053242.tif 000005
【図４】
2016053242.tif 000006
【図５】
2016053242.tif 000007
【図６】
2016053242.tif 000008
【図７】
2016053242.tif 000009
【図８】
2016053242.tif 000010
【図９】
2016053242.tif 000011
【図１０】
2016053242.tif 000012
【図１１】
2016053242.tif 000013